(57)【特許請求の範囲】
【請求項１】
揺動選別によって脱穀処理された処理物の選別を行う揺動選別体（３１）と、
処理物を選別する選別風を起風する送風ファン（３４）とを備え、
前記揺動選別体（３１）は、前側に配置されたグレンパン（３８）と、該グレンパン（３８）の後方に配置されて処理物を選別漏下させるチャフシーブ（３９）と、該チャフシーブ（３９）の下方側に配置されるグレンシーブ（４２）とを有し、
該グレンパン（３８）の上面には、処理物を後方搬送する搬送面（３８ａ）を形成し、該搬送面（３８ａ）側に上記選別風を流動させる構造とした脱穀装置において、
前記揺動選別体（３１）が配置された選別室（２２）に、揺動選別体（３１）の前方下側に配置されて、下方からグレンシーブ（４２）及びチャフシーブ（３９）側に向けて選別風を送風する唐箕ファン（３２）を設け、
前記送風ファン（３４）は、該唐箕ファン（３２）とは別に、前記グレンパン（３８）の前方に配置されて、前記搬送面（３８ａ）側に選別風を送風するように構成され、
前記送風ファン（３４）から搬送面（３８ａ）側への流動経路の途中に、着脱可能な調整部材（５２，５４，５６）を設け、該調整部材（５２，５４，５６）の着脱によって、搬送面（３８ａ）側に流動する選別風の風量を調整するか、或いは選別風の有無を切換える構造とし、
前記調整部材（５２，５４，５６）の着脱によって、前記送風ファン（３４）からグレンパン（３８）側に送風される選別風の一部、或いは全部を、前記グレンシーブ（４２）側に流動させることにより、グレンパン（３８）側に流動する選別風の風量を調整するか、或いは選別風の有無を切換える構造とした
脱穀装置。
【発明の詳細な説明】
【技術分野】
【０００１】
本発明は、グレンパンの上面側に選別風を流動させる脱穀装置に関する。
【背景技術】
【０００２】
揺動選別によって脱穀処理された処理物の選別を行う揺動選別体と、処理物を選別する選別風を起風する送風ファンとを備え、前記揺動選別体は、前側に配置されたグレンパンと、該グレンパンの後方に配置されて処理物を選別漏下させるチャフシーブと、該チャフシーブの下方側に配置されるグレンシーブとを有し、該グレンパンの上面には、処理物を後方搬送する搬送面を形成し、該搬送面側に上記選別風を流動させる構造とした特許文献１に記載の脱穀装置が従来公知である。
【先行技術文献】
【特許文献】
【０００３】
【特許文献１】特開２００８−２８９３８３号公報
【発明の概要】
【発明が解決しようとする課題】
【０００４】
上記文献の脱穀装置では、グレンパンの上面側に選別風を送ることによって、選別能力を向上させることができるものであるが、グレンパン上の選別風の強弱等を調整するために、送風ファンからの選別風が吐出される吐出口を排藁量に応じて開閉可能に構成したり、送風ファンの駆動数を変更可能に構成したりすることによって、選別風の風量を調整する風力調整手段を別途に設ける必要があり、コストが高くなるという課題があった。
【０００５】
本発明では、グレンパンの上面側に選別風を送風して選別能力を向上させる脱穀装置において、グレンパンの上面側に送風される選別風の風量の有無の切換えや、該選別風の強弱の切換えを簡易且つ安価に構成できる脱穀装置を提供することを課題とする。
【課題を解決するための手段】
【０００６】
上記課題を解決するため、揺動選別によって脱穀処理された処理物の選別を行う揺動選別体３１と、処理物を選別する選別風を起風する送風ファン３４とを備え、前記揺動選別体３１は、前側に配置されたグレンパン３８と、該グレンパン３８の後方に配置されて処理物を選別漏下させるチャフシーブ３９と、該チャフシーブ３９の下方側に配置されるグレンシーブ４２とを有し、該グレンパン３８の上面には、処理物を後方搬送する搬送面３８ａを形成し、該搬送面３８ａ側に上記選別風を流動させる構造とした脱穀装置において、前記揺動選別体３１が配置された選別室２２に、揺動選別体３１の前方下側に配置されて、下方からグレンシーブ４２及びチャフシーブ３９側に向けて選別風を送風する唐箕ファン３２を設け、前記送風ファン３４は、該唐箕ファン３２とは別に、前記グレンパン３８の前方に配置されて、前記搬送面３８ａ側に選別風を送風するように構成され、前記送風ファン３４から搬送面３８ａ側への流動経路の途中に、着脱可能な調整部材５２，５４，５６を設け、該調整部材５２，５４，５６の着脱によって、搬送面３８ａ側に流動する選別風の風量を調整するか、或いは選別風の有無を切換える構造とし、前記調整部材５２，５４，５６の着脱によって、前記送風ファン３４からグレンパン３８側に送風される選別風の一部、或いは全部を、前記グレンシーブ４２側に流動させることにより、グレンパン３８側に流動する選別風の風量を調整するか、或いは選別風の有無を切換える構造としたことを特徴としている。
【発明の効果】
【０００７】
上記構成によれば、前記調整部材の着脱によって、グレンパンの上面側に送風される選別風の風量の調整、或いは選別風の有無を切換えることができるため、藁屑の発生が多い材料の場合はグレンパン側への選別風を強くし、揺動選別の早い段階で藁屑を飛ばして効率良く揺動選別を行える一方、飛び易くて機外飛散が発生し易い材料の場合はグレンパン側への選別風を弱く、或いは無くし、穀粒の機外飛散を防止することができる。また、送風ファンの回転数を操作したり、選別風の吐出口を排藁量に応じて自動的に開閉したりする選別風調整手段を別途に設ける構成と比較して、構成が簡易になるとともに、コストも低く抑えることができる。
【０００８】
また、前記調整部材５２，５４，５６の着脱によって、前記送風ファンからグレンパン３８側に送風される選別風の一部、或いは全部を、前記グレンシーブ４２側に流動させることにより、グレンパン３８側に流動する選別風の風量を調整するか、或いは選別風の有無を切換える構造としたものとよれば、より簡易な構成で前記選別風の送風先や風量の切換えを行うことができるため汎用性が向上するとともに、コストもより低く抑えることができる。また、選別風のグレンパン側への選別風を弱めるために分流した選別風を機外飛散に影響のないグレンシーブ側の選別能力向上に利用できるため、収穫物に応じて効率的な選別作業をすることができる。
【０００９】
なお、揺動選別体が配置された選別室に、揺動選別体３１の前方下側に配置されて、下方からグレンシーブ４２及びチャフシーブ３９側に向けて選別風を送風する唐箕ファンを備え、前記送風ファンは、該唐箕ファンとは別に、前記グレンパンの前方に配置されて前記搬送面側に選別風を送風する補助ファンであるものによれば、前記補助ファンによって、グレンパンの上面側に選別風を安定して送ることができるため、選別能力がより安定・向上する。
【図面の簡単な説明】
【００１０】
【図１】本発明の脱穀装置を適用した汎用コンバインの左側面図である。
【図２】脱穀装置を示した側断面図である。
【図３】選別部の構成を示した要部側面図である。
【図４】（Ａ）は、上部切換板に通風板を設置した状態を示した揺動選別体の前方斜視図であり、（Ｂ）は、下部切換板に通風板を設置した状態を示した揺動選別体の前方斜視図である。
【図５】（Ａ）乃至（Ｃ）は、切換機構によって切換えられる補助ファンからの選別風の導風状態を示した図である。
【発明を実施するための形態】
【００１１】
図１は、本発明の脱穀装置を適用した汎用コンバインの左側面図であり、図２は、脱穀装置を示した側断面図であり、図３は、選別部の構成を示した要部側面図である。図より、本汎用コンバインは、走行部である左右一対のクローラ式走行装置１，１に支持された走行機体２と、該走行機体２の前方に昇降可能に連結されて圃場の穀稈の刈取作業を行う刈取部３とを備えている。
【００１２】
前記走行機体２には、オペレータが乗込んで操向操作を行う操縦部４を刈取部３の真後ろ側近傍における右寄り位置に設け、該操縦部４の後方斜め左側に前記刈取部３で刈取られた穀稈の脱穀作業等を行う脱穀装置６を設置し、操縦部４の後方且つ脱穀装置６右側に脱穀装置６で脱穀された処理物である穀粒を収納するグレンタンク７を配置し、脱穀装置６の後方に脱穀後の藁屑等を排出する排出部８が設けられている。
【００１３】
前記刈取部３は、刈取った穀稈を脱穀装置側に搬送するフィーダ９と、該フィーダ９の前端側に連結されて前方側に延びる刈取フレーム１１と、該刈取フレーム１１の前端側に設けた左右一対のデバイダ１２と、該刈取フレーム１１の基礎部となる後端部の上方側から前方に向って延出している左右一対の支持アーム１３と、該左右の支持アーム１３の延出端の間に、回転自在に架設支持された掻込リール１４とを備えている。
【００１４】
左右一方側（図示する例では左側）の支持アーム１３と刈取フレーム１１との間には、伸縮によって前記掻込リール１４を刈取部３の本体に対して昇降させるリールシリンダ１６を設置し、左右他方側の支持アーム１３には、掻込リール１４に動力を伝動する伝動ケース１７が設けられている。すなわち、掻込リール１４は、刈取部３の本体側に対して昇降作動されるとともに、伝動ケース１７から伝動される動力によって自身の軸回りに回転駆動される。
【００１５】
該構成の刈取部３によれば、圃場の穀稈を、前記左右のデバイダ１２の間である刈取側と、該刈取側の左右両外側である非刈取側とに分草し、該刈取側の植立穀稈は、前記掻込リール１４によって刈取部側に掻込まれながらデバイダ１２の後方に備えたレシプロ式の刈刃（図示しない）によって穀稈の根元側から刈取られる。これにより刈取られた穀稈は、刈取フレーム１１側の搬送オーガ（図示しない）により前記フィーダ９の前端側へ送られ、該フィーダ９に搬送された穀稈がフィーダ９の内部に備えた搬送コンベヤ１８によって後方側に搬送される。フィーダ９の後端側に搬送された刈取穀稈は、前記脱穀装置６の上部前端側に送られる。
【００１６】
前記脱穀装置６は、該脱穀装置６の上側であって前記フィーダ９から搬送される刈取穀稈の脱穀作業を行う脱穀部２１と、脱穀装置６の下側であって前記脱穀部２１により脱穀された処理物を穀粒と藁屑等の排塵物とに選別する選別部２２とから構成されている。
【００１７】
前記脱穀部２１は、前記フィーダ９の後端側から刈取穀稈の全部が投入される扱室２３と、該扱室２３の前後方向全体に亘って形成された前後方向の扱胴回転軸２４回りに回転駆動自在に設けられて、前端側が漏斗型となる円筒状の扱胴２６と、該扱胴２６の下方であって、扱胴２６の形状に沿って背面視で中央が窪んだ円弧状をしている受網２７とを備えている。
【００１８】
該構成により、フィーダ９によって扱室に全稈投入された刈取穀稈は、回転駆動される扱胴２６によって扱降し処理（脱穀処理）されて排藁となり、該排藁は扱室２３後方の排出部８から機外へと排出される。その一方で、扱胴２６によって扱降ろされた処理物は、籾などの穀粒と屑藁等とを含んでおり、受網２７で受止められるとともに下方側に漏下することで、選別部２２側に導入される。
【００１９】
前記選別部２２は、前記受網２７から漏下した処理物を揺動選別する揺動選別体３１と、該揺動選別体３１の前方下側に配置されて後方上側に向けて選別風を送風する唐箕ファン３２と、選別後の排塵物を機外へ排出する二番選別ファン３３と、揺動選別体３１の前方側に配置された補助ファン（送風ファン）３４と、該唐箕ファン３２等によって選別された１番物である穀粒を回収する１番ラセン３６と、２番物を回収する２番ラセン３７とを備えている。
【００２０】
上記揺動選別体３１は、受網２７側から落下してきた処理物を上面側で受止めて後方側に移送する搬送面３８ａが形成されたグレンパン３８と、グレンパン３８の後方に配置されてグレンパン３８によって移送されてきた処理物を選別落下させる複数のフィン３９ａから構成されるチャフシーブ３９と、チャフシーブ３９の後方に配置されて処理物に含まれた長い藁等を後方搬送するとともに処理物に含まれた短い藁や穀粒等を前述の２番物として下方落下させるストローラック４１とが、一対の板フレーム４３，４３間に設けられて構成されている。
【００２１】
また、該揺動選別体３１は、上記チャフシーブ３９の下方側に、チャフシーブ３９から漏下してくる処理物を受止めて選別落下させるグレンシーブ（選別網）４２と、該グレンシーブ４２の後方側に配置されたチャフシーブ３０と、該チャフシーブ３０の後方に配置されたストローラック３５とが設けられている。なお、該グレンパン３８の上方側には、前後長の短い上部グレンパン４４が設けられている。これにより、該揺動選別体３１は、上下方向３段階で処理物を揺動選別するように構成されている。
【００２２】
該グレンパン３８の搬送面３８ａは、搬送下流側（移送側、下流側）である後方に向かって緩やかに上方傾斜してから急激に下降する山面と、平らなフラット面とを、搬送側に向って交互に配することにより構成され、全体として波状をなしている。グレンパン３８を前後動させると、その反動によって、前部又はフラット面に留まった処理物が、山面を乗越えて下流側のフラット面に移動する。すなわち、揺動選別体３１を前後動させることにより、処理物が順次後方に搬送されていく。
【００２３】
同様の構成の搬送面３８ａは、前記上部グレンパン４４と、グレンシーブ４２の前部側にも成形されている（搬送面４４ａ，４２ａ）。なお、グレンパン３８の上面側に形成される搬送面３８ａは、上記構成に限られず、後方に向かって下方傾斜する平板（山面を設けずフラット面のみ）等によって構成しても良い。
【００２４】
上記補助ファン３４は、揺動選別体３１の前方側に配置され、後方下側に向かって段状に形成される揺動選別体３１の前面側と、唐箕ファン３２を収容する唐箕ケース３２Ａから後方に向けて下方傾斜された流路板４０との間に形成される流動経路を介して、該補助ファン３４で起風される選別風を揺動選別体３１内に送るように構成されている。
【００２５】
前記上部グレンパン４４と、グレンパン３８の間には、揺動選別体３１の前面側に設けた上部開口部５１から選別風が送風される上側流路が形成され、前記グレンパン４４と、グレンシーブ４２の間には、揺動選別体３１の前面側に設けた下部開口部５３から選別風が送風される下側流路が形成されており、揺動選別体３１の前部側に構成された切換機構によって、前記補助ファン３４により送られる選別風を、上下の各流路に送ることができるように構成されている。このとき、該上部開口部５１の上方側には、上部グレンパン４４が張出すように配置され、下部開口部５３の上方側には、グレンパン３８が張出すように配置されており、処理物が上部開口部５１（下部開口部５３）から下方に落下することを効率的に防止できる。
【００２６】
具体的に、該切換機構は、補助ファン３４の選別風をグレンパン３８の上面側（上側流路）と、グレンシーブ４２の上面側（下側流路）の両方へ送風する分流状態と、補助ファン３４の選別風をグレンシーブ４２の上面側（下側流路）にのみ送風する下部送風状態と、補助ファン３４の選別風をグレンパン３８の上面側（上側流路）にのみ送風する上部送風状態とに切換えることができるように構成されている。該切換機構の詳細な構成については後述する。
【００２７】
上記構成により、選別部２２側に導入された処理物は、揺動選別体３１によって揺動選別され、唐箕ファン３２や補助ファン３４等によって起風される選別風によって穀粒と藁屑等とに選別される。詳しくは、揺動選別体３１から漏下した処理物は、唐箕ファン３２によりグレンシーブ４２及びチャフシーブ３９側に向けて送風された選別風の影響を殆ど受けずに選別部２２の前後方向中央（１番ラセン３６）よりも若干前方に落下して前記１番ラセン３６によって回収される１番物と、選別風の影響を若干受けて１番ラセン３６よりも後方に落下して前記２番ラセン３７によって回収される２番物とに風選され、藁屑等は上記選別風によって排出部８側に飛ばされる。
【００２８】
前記１番物は、１番ラセン３６及び揚穀装置４６によって搬送され、穀粒としてグレンタンク７内に収容される。２番物は、２番ラセン３７及び還元装置４７によって、選別部２２における揺動選別体３１の上方側に再び還元され、風選が行われる。
【００２９】
次に、図３乃至図５に基づき、前記切換機構について説明する。
図４（Ａ）は、上部切換板に通風板を設置した状態を示した揺動選別体の前方斜視図であり、図４（Ｂ）は、下部切換板に通風板を設置した状態を示した揺動選別体の前方斜視図であり、図５（Ａ）乃至（Ｃ）は、切換機構によって切換えられる補助ファンからの選別風の導風状態を示した図である。
【００３０】
前記切換機構は、前記グレンパン３８の上下で段状に形成された前記揺動選別体３１の前面側に構成されている。具体的には、前記上部開口部５１の開閉を切換える上部切換板（調整部材）５２と、前記下部開口部５３の開閉を切換える下部切換板（調整部材）５４と、補助ファン３４からの選別風を下部切換板５４側へ至る流動経路を遮蔽する遮蔽板（調整部材）５６とを備え、各切換用の部材を揺動選別体３１の前部側に着脱することによって、補助ファン３４からグレンパン３８側に送風される選別風を導風し、該選別風の送風先を切換えることができるように構成されている。
【００３１】
前記上部切換板５２は、前記グレンパン３８の前面側に着脱可能な構成でボルト固定される板状部材であって、枠状に形成されて枠内側を網状部５２ａで覆うことにより補助ファン３４からの選別風を通過させる上部通風板５２Ａ（図４（Ａ）参照）と、補助ファン３４からの選別風を遮蔽する上部遮蔽板５２Ｂ（図４（Ｂ）参照）との何れか一方を選択して、揺動選別体３１の上部開口部５１に取付けられるように構成されている。これにより、グレンパン３８の上面側に選別風を流動させるか否かの切換えを行うことができる。なお、該網状部５２ａは、選別風が通過する構成であれば良い。
【００３２】
また、該上部切換板５２は、グレンパン３８の前端側から前方上方側に向かって傾斜し、その上端側が、前記上部グレンパン４４の前方側に設けた左右一対の上部ボルト固定部５７，５７にボルト固定されるとともに、下端側が、グレンパン３８の前端側に沿って水平方向に屈曲形成されてグレンパンの前側に設けた左右一対の中部ボルト固定部５８，５８でボルト固定されることによって、上部開口部５１に着脱自在となるよう構成されている。
【００３３】
前記下部切換板５４は、前記グレンシーブ４２の前面側に着脱可能な構成でボルト固定される板状部材であって、板状に形成されて枠内側を網状部５４ａで覆うことによって補助ファン３４からの選別風を通過させる下部通風板５４Ａ（図４（Ｂ）参照）と、補助ファン３４からの選別風を遮蔽する下部遮蔽板５４Ｂ（図５（Ａ）参照）との何れか一方を選択して、揺動選別体３１の下部開口部５３に取付けられるように構成されている。
【００３４】
また、該下部切換板５４は、グレンシーブ４２の前端側から前方上方側に向って傾斜し、グレンシーブ４２の前方側と、グレンパン３８の中途部下方側とにそれぞれ左右一対設けられた下部ボルト固定部５９，５９，５９，５９にボルト固定（計４箇所）されることによって、下部開口部５３に着脱自在となるよう構成されている。
【００３５】
前記遮蔽板５６は、前記グレンパン３８の前面側に着脱可能な構成でボルト固定される板状部材であって、補助ファン３４からの選別風が流動する流動経路の中途部を遮断するように、グレンパン３８（揺動選別体３１）の前方側に向けて張出すように取付けられることによって、補助ファン３４からの選別風を前記上側流路に導風することができるように構成されている。また、該遮蔽板５６を取外すことによって、補助ファン３４からの選別風を前記下側流路へ送風できる。
【００３６】
また、該遮蔽板５６は、前後方向に延びる板状部材であって、その後端側が、上部切換板５２とともに前記中段ボルト固定部５８，５８に共締めされ、その左右両端側が、上方に屈曲形成されて前記板フレーム４３，４３の前端側に設けたフレーム側ボルト固定部６１，６１にボルト固定（計４箇所）されることによって、着脱自在に構成されている。
【００３７】
上記構成の切換機構は、前記上部開口部５１に上部通風板５２Ａをボルト固定し、前記下部開口部５３に下部通風板５４Ａをボルト固定し、前記遮蔽板５６を取外すことにより、補助ファン３４からの選別風をグレンパン３８の上面側と、グレンシーブ４２の上面側の両方へ送風する分流状態に切換えることができる（図５（Ａ）参照）。
【００３８】
該構成の分流状態によれば、揺動選別体３１の上側流路のチャフシーブ３９上の処理物と、下側流路のグレンシーブ４２上の処理物とを補助ファン３４からの選別風によって風選し、揺動選別体３１（グレンシーブ４２）側から漏下した処理物を唐箕ファン３２からのより強い選別風によって風選することで、上下方向の段部で均一に選別できるため、選別性能が向上する。
【００３９】
また、該切換機構は、前記上部開口部５１に上部遮蔽板５２Ｂをボルト固定し、前記下部開口部５３に下部通風板５３Ａをボルト固定し、前記遮蔽板５６を取外すことにより、補助ファン３４からの選別風をグレンシーブ４２側にのみ送風する下部送風状態に切換えることができる（図５（Ｂ）参照）。
【００４０】
該構成の下部送風状態によれば、特に、処理物のろ過量が少なくなる品種の場合に、揺動選別体３１のチャフシーブ３９上に選別風が送風されることを防止し、チャフシーブ３９の処理物がある程度揺動選別され、グレンシーブ４２上に落下したものを選別風によって風選できるため、チャフシーブ３９上に残っている処理物が必要以上に機外に飛散されることを効率的に防止できる。すなわち、該下部送風状態と、上記分流状態では、グレンパン３８側に送風される補助ファン３２からの選別風を遮断する（弱める）にあたり、上記選別風を切換機構によって機外飛散に影響を及ぼさない前記下側流路（グレンシーブ４２）側に導風し、選別能力を向上に利用できる。
【００４１】
さらに、該切換機構は、前記上部開口部５１に上部通風板５２Ａをボルト固定し、前記下部開口部５３に下部遮蔽板５３Ｂをボルト固定し、前記遮蔽板５６をボルト固定することにより、補助ファン３４からの選別風をグレンパン３８側にのみ送風する上部送風状態に切換えることができる（図５（Ｃ）参照）。
【００４２】
該構成の上部送風状態によれば、補助ファン３４からの選別風を、遮蔽板５６によって上側流路に導風することによって、グレンパン３８及びチャフシーブ３９側に送風される選別風を強くすることができる。このため、特に、チャフシーブ３９からのろ過量が多い品種を選別する場合に、脱穀処理された処理物を早い段階で補助ファン３４からの選別風で一気に風選できるため、選別効率が向上する。
【００４３】
上述の切換機構の構成によれば、各種穀稈の刈取作業を行うことのできる汎用コンバインによって、刈取（脱穀・選別）作業がされる穀稈の種類に応じて、揺動選別体３１の上側流路と下側流路に送風される選別風の有無と強弱を切換えることによって、選別能力を適したものに適宜変更することができる。また、上記選別風の有無又は強弱の切換を上部切換板５２と、下部切換板５４と、遮蔽板５６の着脱によって行うため、コストを低く抑えることができる。
【符号の説明】
【００４４】
２２    選別部（選別室）
３１    揺動選別体
３２    唐箕ファン
３４    補助ファン（送風ファン）
３８    グレンパン
３８ａ  搬送面
３９    チャフシーブ
４２    グレンシーブ
５２    上部切換板（調整部材）
５４    下部切換板（調整部材）
５６    遮蔽板（調整部材）
【図１】
0006706029.tif 000002
【図２】
0006706029.tif 000003
【図３】
0006706029.tif 000004
【図４】
0006706029.tif 000005
【図５】
0006706029.tif 000006